(57)【要約】【課題】中間ボールとスプリングの前端部との安定した接触状態が得られ、中間ボールを介して確実に筆記ボールを前方に付勢できボールペンを提供する。【解決手段】筆記ボール４とスプリング６と間に中間ボール５を介在させる。スプリング６が複数の巻回により形成されたコイル部を備える。コイル部の前端部に複数の巻回により一体に形成された先細状部６１を備える。先細状部６１の前端の内径を中間ボール５の外径より小さく形成する。ボール受け座３２の中心部に軸方向に貫通するインキ流通孔３３を設ける。インキ流通孔３３内に中間ボール５を配置する。中間ボール５の後面を先細状部６１の前端内面で回転可能に抱持する。中間ボール５の前面と筆記ボール４の後面とを当接させる。【選択図】  図３
2019116107.tif 000002
【特許請求の範囲】
【請求項１】
チップ本体の前端に内向きに前端縁部を設け、前記前端縁部の後方のチップ本体の前端近傍内面にボール受け座を設け、前記前端縁部と前記ボール受け座との間で筆記ボールを回転可能に抱持し、前記筆記ボールの後方に、前記筆記ボールを前方に付勢し且つ前記筆記ボールを前記前端縁部の内面に密接させるスプリングを設け、前記筆記ボールと前記スプリングと間に中間ボールを介在させたボールペンであって、前記スプリングが複数の巻回により形成されたコイル部を備え、前記コイル部の前端部に複数の巻回により一体に形成された先細状部を備え、先細状部の前端の内径を前記中間ボールの外径より小さく形成し、前記ボール受け座の中心部に軸方向に貫通するインキ流通孔を設け、前記インキ流通孔内に前記中間ボールを配置し、前記中間ボールの後面を前記先細状部の前端内面で回転可能に抱持し、前記中間ボールの前面と前記筆記ボールの後面とを当接させたことを特徴とするボールペン。
【請求項２】
前記先細状部の前端部が密着巻部からなる請求項１に記載のボールペン。
【請求項３】
前記先細状部の最大外径部が、チップ本体のボール受け座より後方に位置される請求項１または２記載のボールペン。
【発明の詳細な説明】
【技術分野】
【０００１】
本発明は、ボールペンに関する。
【背景技術】
【０００２】
従来この種のボールペンにおいて、例えば、特許文献１には、継ぎ手の先方にボールペンのチップを、後方にインキ収容管を有して、インキ収容管には低粘度のインキが充填されて成るボールペンに於いて、複数箇所の内方突起により形成された受け座を有するパイプ状チップが継ぎ手の先端に設けられ、前記受け座に背面を当接すると共にチップ先端部に先端ボールが回転自在に抱持されて、また、受け座の中心部に形成された孔に挿通自在な当接ボールが先端ボールの背面に当接した状態に配設され、さらに、その当接ボールの背面にスプリング先方の棒軸部前端が当接し、棒軸部前端が当接ボールを介して先端ボールの背面を押圧して、先端ボールがチップのボール抱持部の内縁に密接されてインキの流出が阻止されるよう構成されたことを特徴とするボールペンが開示されている。
【先行技術文献】
【特許文献】
【０００３】
【特許文献１】特開２００６−１９８７７０号公報
【発明の概要】
【発明が解決しようとする課題】
【０００４】
前記特許文献１のボールペンは、当接ボール（本願の中間ボールに相当）と棒軸部（本願のロッド部に相当）の前端との接触状態が不安定となりがちであり、当接ボールの後面の中心部と棒軸部の前端部とを確実に接触させることが困難である。そのため、前記特許文献１のボールペンは、非筆記時のボール抱持部の内縁と先端ボール（本願の筆記ボールに相当）との確実な密接状態が得られないおそれや、筆記時の先端ボールの円滑な回転が得られないおそれがある。
【０００５】
本発明は、前記従来の問題点を解決するものであり、中間ボールとスプリングの前端部との安定した接触状態が得られ、中間ボールを介して確実に筆記ボールを前方に付勢でき、非筆記時の前端縁部と筆記ボールとの確実なシール性が得られるとともに、筆記時の筆記ボールの円滑な回転が得られるボールペンを提供しようとするものである。
【０００６】
尚、本発明において、「前」とはチップ本体側を指し、「後」とはその反対側を指す。
【課題を解決するための手段】
【０００７】
本願の第１の発明は、チップ本体３の前端に内向きに前端縁部３１を設け、前記前端縁部３１の後方のチップ本体３の前端近傍内面にボール受け座３２を設け、前記前端縁部３１と前記ボール受け座３２との間で筆記ボール４を回転可能に抱持し、前記筆記ボール４の後方に、前記筆記ボール４を前方に付勢し且つ前記筆記ボール４を前記前端縁部３１の内面に密接させるスプリング６を設け、前記筆記ボール４と前記スプリング６と間に中間ボール５を介在させたボールペンであって、前記スプリング６が複数の巻回により形成されたコイル部を備え、前記コイル部の前端部に複数の巻回により一体に形成された先細状部６１を備え、先細状部６１の前端の内径を前記中間ボール５の外径より小さく形成し、前記ボール受け座３２の中心部に軸方向に貫通するインキ流通孔３３を設け、前記インキ流通孔３３内に前記中間ボール５を配置し、前記中間ボール５の後面を前記先細状部６１の前端内面で回転可能に抱持し、前記中間ボール５の前面と前記筆記ボール４の後面とを当接させたことを要件とする。
【０００８】
前記第１の発明のボールペン１は、前記スプリング６が複数の巻回により形成されたコイル部を備え、前記コイル部の前端部に複数の巻回により一体に形成された先細状部６１を備え、先細状部６１の前端の内径を前記中間ボール５の外径より小さく形成し、前記ボール受け座３２の中心部に軸方向に貫通するインキ流通孔３３を設け、前記インキ流通孔３３内に前記中間ボール５を配置し、前記中間ボール５の後面を前記先細状部６１の前端内面で回転可能に抱持し、前記中間ボール５の前面と前記筆記ボール４の後面とを当接させたことにより、中間ボール５とスプリング６の前端部との安定した接触状態が得られ、中間ボール５を介して確実に筆記ボール４の中心部を前方に付勢でき、その結果、非筆記時の前端縁部３１と筆記ボール４との確実なシール性が得られるとともに、筆記時の筆記ボール４の円滑な回転が得られる。また、先細状部６１により、チップ本体３内のボール受け座３２近傍における円滑なインキ流通が可能となる。尚、先細状部６１は、外径が前方に向かうに従い次第に縮径される形状を有する。
【０００９】
本願の第２の発明は、前記第１の発明のボールペン１において、前記先細状部６１の前端部が密着巻部からなることを要件とする。
【００１０】
前記第２の発明のボールペン１は、前記先細状部６１の前端部が密着巻部からなることにより、前記先細状部６１の前端部の密着巻部によって中間ボール５の後面を安定して抱持することができ、より一層、中間ボール５とスプリング６の前端部との安定した接触状態が得られる。
【００１１】
本願の第３の発明のボールペン１は、前記第１または第２の発明のボールペンにおいて、前記先細状部６１の最大外径部が、チップ本体３のボール受け座３２より後方に位置されることを要件とする。
【００１２】
前記第３の発明のボールペン１は、前記先細状部６１の最大外径部が、チップ本体３のボール受け座３２より後方に位置されることにより、先細状部６１の軸線に対する傾斜角度を緩やかに形成でき、一層、チップ本体３内のボール受け座３２近傍のインキ流通を円滑なものにできるとともに、前記先細状部６１の最大外径部とチップ本体３の内面とによりコイル部の径方向の撓みによる先細状部６１の傾きを抑えることができる。
【発明の効果】
【００１３】
本発明のボールペンによれば、非筆記時の前端縁部と筆記ボールとの確実なシール性が得られるとともに、筆記時の筆記ボールの円滑な回転が得られる。
【図面の簡単な説明】
【００１４】
【図１】本発明の実施の形態の縦断面図である。
【図２】図１の要部拡大縦断面図である。
【図３】図２の要部拡大縦断面図である。
【図４】図２のスプリンングの正面図である。
【発明を実施するための形態】
【００１５】
図１乃至図４に本発明の実施の形態を示す。
【００１６】
・ボールペン
本実施の形態のボールペン１は、前端部に筆記ボール４を回転可能に抱持したボールペンチップ２と、前記ボールペンチップ２の後部がその前部８１に圧入固着されたホルダー８と、前記ホルダー８の後部８３がその前端開口部に圧入固着されたインキ収容筒７と、前記チップ本体３の内部及びホルダー８の内部に収容配置されるスプリング６と、前記スプリング６と筆記ボール４との間に介在される中間ボール５と、前記インキ収容筒７の後端開口部に圧入固着される尾栓９とからなる。前記尾栓９は、インキ収容筒７内と外気とを連通可能にする通気孔を有する
【００１７】
・ボールペンチップ
前記ボールペンチップ２は、チップ本体３と筆記ボール４とからなる。前記チップ本体３は、円筒状の金属製筒体よりなる。前記金属製筒体は、例えば、ＳＵＳ３０４、ＳＵＳ３０５、ＳＵＳ３２１等のオーステナイト系ステンレス鋼により得られる。前記チップ本体３の前端近傍内面には、内方への押圧変形により、複数（例えば、４個）の内方突起が周方向に等間隔に形成される。前記内方突起によりボール受け座３２が形成される。また、チップ本体３の前端には、周状に内方に押圧変形されることにより、内向きの前端縁部３１が形成される。前記ボール受け座３２の前面と前記前端縁部３１の後面との間には筆記ボール４が回転可能に抱持される。前記内方突起の相互間には、中心部から径方向外方に延び且つ軸方向に貫通するインキ流通孔３３が形成される。即ち、前記ボール受け座３２には、前記インキ流通孔３３が形成される。尚、前記ボール受け座３２は、内方変形による複数の内方突起からなる構成の他、切削加工により金属製のチップ本体３の内面に形成される構成でもよい。
【００１８】
前記筆記ボール４は、直径が、０．３ｍｍ〜０．７ｍｍ（好ましくは０．３ｍｍ〜０．５ｍｍ）の範囲のものが採用される。
【００１９】
・ホルダー
前記ホルダー８は合成樹脂（例えば、ポリプロピレン）の射出成形によって得られる筒状体である。前記ホルダー８は、ボールペンチップ２が取り付けられる先細状の前部８１と、インキ収容筒７の前端面に当接する鍔部８２と、インキ収容筒７の前端開口部に圧入される後部８３とからなる。前記ホルダー８の内面には、環状突起または周状に分散配置された複数の突起からなる係止壁部８ａが一体に形成される。
【００２０】
・インキ収容筒
前記インキ収容筒７は、合成樹脂（例えば、ポリプロピレン）の押出成形により得られる、両端が開口された円筒体である。前記インキ収容筒７の内部には、インキ７１と、該インキ７１の消費に伴って前進する高粘度流体からなる追従体７２が充填される。前記インキ７１は、例えば、低粘度の水性または油性インキ、剪断減粘性を有する水性または油性ゲルインキ等が挙げられる。前記追従体７２は、例えば、高粘度流体のみからなる構成、または高粘度流体中に固形物を収容させた構成が挙げられる。
【００２１】
・スプリング
前記スプリング６は、螺旋状の複数の巻回により形成されたコイル部からなる。前記コイル部の前端部に螺旋状の複数の巻回により一体に形成された先細状部６１と、前記先細状部６１の後方に直円筒状に連設された第１のコイル部６２と、前記第１のコイル部６２の後端より後方に直円筒状に連設され且つ前記第１のコイル部６２より大きい外径を有する第２のコイル部６３と、前記第２のコイル部６３の後端に一体に形成され且つ前記第２のコイル部６３の外径より大きい外径を有する膨出部６４と、を備える。前記スプリング６は、前記先細状部６１と、前記第１のコイル部６２と、前記第２のコイル部６３と、前記膨出部６４とが１本の金属線材（例えば、ステンレス鋼製線材）により一体に連設される。前記係止壁部８ａに前記スプリング６の膨出部６４の後端が係止される。前記スプリング６は、筆記ボール４の後方に配置され、中間ボール５を介して前記筆記ボール４を前方に付勢し且つ前記筆記ボール４を前記前端縁部３１の内面に密接させる
【００２２】
・先細状部
前記先細状部６１は、外径が前方に向かうに従い次第に縮径される外形状を有する。前記先細状部６１は、隣接する線材同志が密着する密着巻部を少なくとも前端部に備える。前記密着巻部は先細状部６１の前端部または全体に設けられる。
【００２３】
前記先細状部６１の前端部は、前記ボール受け座３２を構成する各々の内方突起の径方向内方（内方突起の後面の径方向内方）に位置される。それにより、前記各々の内方突起の後面と先細状部６１の前端部外面との間の隙間を小さくでき、筆記時（筆記ボール４の回転時）及び落下衝撃時、中間ボール５が先細状部６１の環状の前端から脱落することを一層回避できる。
【００２４】
・中間ボール
前記中間ボール５が前記インキ流通孔３３の中心部内に配置される。前記先細状部６１の前端内面で前記中間ボール５の後面が抱持される。前記中間ボール５の前面と前記筆記ボール４の後面とを当接させ、スプリング６により中間ボール５を介して筆記ボール４が前方に付勢される。
【００２５】
前記中間ボール５は、筆記ボール４より小さい外径を有する。また、前記中間ボール５は、インキ流通孔３３の中心部の内径（内方突起の頂部の仮想内接円の直径）より小さく設定される。前記中間ボール５は、先細状部６１の前端の内径より大きく設定される。
【００２６】
尚、前記中間ボール５及び前記筆記ボール４の材質は、特に限定されないが、一般に金属またはセラミックスからなるものが用いられ、硬度の高い材料が選択されることが好ましい。前記中間ボール５及び前記筆記ボール４の材質は、例えば、炭化タングステン、酸化ジルコニウム、酸化アルミニウム、酸化ケイ素、炭化ケイ素などのセラミックスやステンレス鋼などの金属が用いられる。また、セラミックスと金属性結合材とからなる超硬合金を用いてもよい。このような超硬合金としては、タングステンカーバイトと、コバルトまたはニッケルなどの金属性結合材とからなるものが知られている。前記中間ボール５は、筆記ボール４と同一の材料または異なる材料の何れであってもよい。
【００２７】
本実施の形態のボールペン１は、前記スプリング６が、複数の巻回により形成されたコイル部を備え、前記コイル部の前端部に複数の巻回により一体に形成された先細状部６１を備え、先細状部６１の前端の内径を前記中間ボール５の外径より小さく形成し、前記ボール受け座３２の中心部に軸方向に貫通するインキ流通孔３３を設け、前記インキ流通孔３３内に前記中間ボール５を配置し、前記中間ボール５の後面を前記先細状部６１の前端内面で回転可能に抱持し、前記中間ボール５の前面と前記筆記ボール４の後面とを当接させたことにより、中間ボール５とスプリング６の前端部との安定した接触状態が得られ、中間ボール５を介して確実に筆記ボール４の中心部を前方に付勢でき、その結果、非筆記時の前端縁部３１と筆記ボール４との確実なシール性が得られるとともに、筆記時の筆記ボール４の円滑な回転が得られる。また、先細状部６１により、チップ本体３内のボール受け座３２近傍における円滑なインキ流通が可能となる。尚、先細状部６１は、外径が前方に向かうに従い次第に縮径される形状を有する。
【００２８】
本実施の形態のボールペン１は、前記先細状部６１の前端部が密着巻部からなることにより、前記先細状部６１の前端部の密着巻部によって中間ボール５の後面を安定して抱持することができ、より一層、中間ボール５とスプリング６の前端部との安定した接触状態が得られる。
【００２９】
本実施の形態のボールペン１は、前記先細状部６１の最大外径部が、チップ本体３のボール受け座３２より後方に位置されることにより、先細状部６１の軸線に対する傾斜角度を緩やかに形成でき、一層、チップ本体３内のボール受け座３２近傍のインキ流通を円滑なものにできるとともに、前記先細状部６１の最大外径部とチップ本体３の内面とによりコイル部の径方向の撓みによる先細状部６１の傾きを抑えることができる。
【００３０】
１  ボールペン
２  ボールペンチップ  
３  チップ本体
３１  前端縁部
３２  ボール受け座(内方突起)
３３  インキ流通孔
４  筆記ボール
５  中間ボール
６  スプリング
６１  先細状部
６２  第１のコイル部
６３  第２のコイル部
６４  膨出部
７  インキ収容筒
７１  インキ
７２  追従体
８  ホルダー
８ａ  係止壁部
８１  前部
８２  鍔部
８３  後部
９  尾栓
【図１】
2019116107.tif 000003
【図２】
2019116107.tif 000004
【図３】
2019116107.tif 000005
【図４】
2019116107.tif 000006
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ボールペンチップと、前記ボールペンチップの後部が圧入固着されたホルダーと、前記ホルダーの後部が圧入固着されたインキ収容筒と、を備え、前記インキ収容筒にインキが充填されたボールペンであって、前記ボールペンチップは、チップ本体の前端に内向きに前端縁部を設け、前記前端縁部の後方のチップ本体の前端近傍内面にボール受け座を設け、前記前端縁部と前記ボール受け座との間で筆記ボールを回転可能に抱持し、前記筆記ボールの後方に、前記筆記ボールを前方に付勢し且つ前記筆記ボールを前記前端縁部の内面に密接させるスプリングを設け、前記筆記ボールと前記スプリングとの間に中間ボールを介在させ、前記スプリングは、複数の巻回により形成されたコイル部を備え、前記コイル部の前端部に複数の巻回により一体に形成された先細状部を備え、前記先細状部の前端の内径を前記中間ボールの外径より小さく形成し、前記中間ボールの中心部は、前記ボール受け座の最小径部よりも後方に配置され、前記中間ボールの後面を前記先細状部の前端内面で回転可能に抱持し、前記中間ボールの前面と前記筆記ボールの後面とを当接させ、前記インキ収容筒の内部には、前記インキの消費に伴って前進する高粘度流体からなる追従体が充填されたことを特徴とするボールペン。
【請求項２】
前記先細状部の前端部が密着巻部からなる請求項１に記載のボールペン。
【請求項３】
(削除)
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ボールペンチップと、前記ボールペンチップの後部が圧入固着されたホルダーと、前記ホルダーの後部が圧入固着されたインキ収容筒と、を備え、前記インキ収容筒にインキが充填されたボールペンであって、前記ボールペンチップは、チップ本体の前端に内向きに前端縁部を設け、前記前端縁部の後方のチップ本体の前端近傍内面にボール受け座を設け、前記前端縁部と前記ボール受け座との間で筆記ボールを回転可能に抱持し、前記筆記ボールの後方に、前記筆記ボールを前方に付勢し且つ前記筆記ボールを前記前端縁部の内面に密接させるスプリングを設け、前記筆記ボールと前記スプリングとの間に中間ボールを介在させ、前記スプリングは、複数の巻回により形成されたコイル部を備え、前記コイル部の前端部に複数の巻回により一体に形成された先細状部を備え、前記先細状部の前端の内径を前記中間ボールの外径より小さく形成し、前記中間ボールの中心部は、前記ボール受け座の最小径部よりも後方に配置され、前記中間ボールの後面を前記先細状部の前端内面で回転可能に抱持し、前記中間ボールの前面と前記筆記ボールの後面とを当接させ、前記インキ収容筒の内部には、前記インキの消費に伴って前進する高粘度流体からなる追従体が充填されたことを特徴とするボールペン。
【請求項２】
前記先細状部の前端部が密着巻部からなる請求項１に記載のボールペン。